(57)【要約】【課題】  調理用加熱プレート各部のメンテナンス性能を、その安全性を十分に確保した上で向上させる。【解決手段】  調理プレートと、該調理プレートが着脱可能に載置される本体ケースと、該本体ケースの内側に配設され、上記調理プレートの底面に接触して上記調理プレートを加熱する電熱ヒータと、該電熱ヒータと上記本体ケースとの間に設けられる遮熱板とを備えてなる調理用加熱プレートにおいて、上記電熱ヒータは、電熱ヒータ支持部材を介して上記遮熱板の上部に一体に取り付けられ、単一のユニット構造体として上記本体ケースから着脱できるように構成した。【選択図】        図２
2005237631.tif 000002
【特許請求の範囲】
【請求項１】
調理プレートと、該調理プレートが着脱可能に載置される本体ケースと、該本体ケースの内側に配設され、上記調理プレートの底面に接触して上記調理プレートを加熱する電熱ヒータと、該電熱ヒータと上記本体ケースとの間に設けられる遮熱板とを備えてなる調理用加熱プレートにおいて、上記電熱ヒータは、電熱ヒータ支持部材を介して上記遮熱板の上部に一体に取り付けられ、単一のユニット構造体として上記本体ケースから着脱できるように構成されていることを特徴とする調理用加熱プレート。
【請求項２】
コントロールマスター挿入用の受け部材は、本体ケース側に取り付けられていることを特徴とする請求項１記載の調理用加熱プレート。
【請求項３】
遮熱板の下面に脚部材が設けられている一方、本体ケース側に脚受け部材が設けられていて、遮熱板を本体ケース内に収納するに際して、遮熱板側脚部材を本体ケース側脚受け部材に嵌合させることにより、電熱ヒータの電源端子が本体ケース側コントロールマスター用の受けカバー内に挿入されるようになっていることを特徴とする請求項２記載の調理用加熱プレート。
【請求項４】
遮熱板側壁部の電源端子突出部には、遮熱板を取り外した状態では、感熱ロッド挿入孔を遮閉する一方、遮熱板を本体ケース内に収納セットした状態では感熱ロッド挿入孔を開放するフラップを備えたコントロールマスターの誤挿入防止機構が設けられていることを特徴とする請求項１，２又は３記載の調理用加熱プレート。
【請求項５】
フラップ部は、上下方向の位置が遮熱板の側壁部の高さ寸法の範囲内にある一方、前後方向の位置が電熱ヒータの電源端子の突出寸法の範囲内にあることを特徴とする請求項１，２，３又は４記載の調理用加熱プレート。
【発明の詳細な説明】
【技術分野】
【０００１】
本願発明は、ホットプレートなどの調理用の加熱プレートに関するものである。
【背景技術】
【０００２】
一般にホットプレートなどの調理用の加熱プレートは、被調理物が置かれる調理プレートと、該調理プレートが着脱可能に載置される本体ケースと、該本体ケースの内側に固定され、上記調理プレートの底面に接触して上記調理プレートを加熱する電熱ヒータと、該電熱ヒータと上記本体ケースとの間に設けられた遮熱板とを備えて構成されており、上記電熱ヒータによる発熱量を上記調理プレート側に熱伝達することにより、上記調理プレートの温度を上げて、その上にのせられた被調理物を加熱調理するようになっていた。
【０００３】
ところが、このような本体ケースに電熱ヒータが一体化された構成の場合、メンテナンス性が悪く長時間使用した場合にも、容易には本体ケース内の清掃を行うことができない。
【０００４】
このような事情から、最近では本体ケースから、遮熱板、電熱ヒータの各々を個別に取り外すことができるようにしたものが提案されるようになっている（特許文献１参照）。
【０００５】
【特許文献１】特開２０００−２２９０３０号公報（第１−５頁、図１−３）
【発明の開示】
【発明が解決しようとする課題】
【０００６】
しかし、該調理用加熱プレートは、電熱ヒータがコントロールマスター用の受け部材を備えた状態で、しかも遮熱板と別体で取り外されるようになっている。
【０００７】
したがって、もしも誤って電熱ヒータに通電されると、電熱ヒータは裸の状態で発熱する懸念があり、好ましくない。
【０００８】
本願発明は、このような問題を解決するためになされたもので、電熱ヒータを、電熱ヒータ支持部材を介して遮熱板の上部に一体に取り付け、単一のユニット構造体として本体ケースから着脱できるようにすることによって、常に遮熱板による安全を確保した調理用加熱プレートを提供することを目的とするものである。
【課題を解決するための手段】
【０００９】
本願発明は、上記の目的を達成するために、次のような課題解決手段を備えて構成されている。
【００１０】
（１）  第１の課題解決手段
この発明の第１の課題解決手段は、調理プレートと、該調理プレートが着脱可能に載置される本体ケースと、該本体ケースの内側に配設され、上記調理プレートの底面に接触して上記調理プレートを加熱する電熱ヒータと、該電熱ヒータと上記本体ケースとの間に設けられる遮熱板とを備えてなる調理用加熱プレートにおいて、上記電熱ヒータは、電熱ヒータ支持部材を介して上記遮熱板の上部に一体に取り付けられ、単一のユニット構造体として上記本体ケースから着脱できるように構成されていることを特徴としている。
【００１１】
このように、電熱ヒータを電熱ヒータ支持部材を介して遮熱板の上部に一体に取り付け、単一のユニット構造体として本体ケースから着脱できるように構成すると、仮に使用者が着脱された電熱ヒータに通電したとしても、必ず遮熱板によりカバーされたユニット構造で通電されるので、安全となる。
【００１２】
（２）  第２の課題解決手段
この発明の第２の課題解決手段は、上記第１の課題解決手段の構成において、コントロールマスター挿入用の受け部材は、本体ケース側に取り付けられていることを特徴としている。
【００１３】
このように、コントロールマスター挿入用の受け部材が、本体ケース側に取り付けられていると、取り外された電熱ヒータユニットに対してコントロールマスターを挿入しにくくなるので、より安全性が高くなる。
【００１４】
また受け部材の手入れ性もよくなる。
【００１５】
さらに、使用時においても水滴等が侵入しにくく、絶縁性の確保が容易になる。
【００１６】
（３）  第３の課題解決手段
この発明の第３の課題解決手段は、上記第２の課題解決手段の構成において、遮熱板の下面に脚部材が設けられている一方、本体ケース側に脚受け部材が設けられていて、遮熱板を本体ケース内に収納するに際して、遮熱板側脚部材を本体ケース側脚受け部材に嵌合させることにより、電熱ヒータの電源端子が本体ケース側コントロールマスター挿入用の受け部材内に挿入されるようになっていることを特徴としている。
【００１７】
このような構成によると、ユニット構造の電熱ヒータおよび遮熱板を本体ケース内に収納するに際して、遮熱板側に設けられた脚部材を本体ケース側の脚受け部材に嵌合させるだけで、確実に電熱ヒータの電源端子が本体ケース側コントロールマスター挿入用の受け部材内に挿入されるようになる。
【００１８】
したがって、収納作業が容易である。
【００１９】
（４）  第４の課題解決手段
この発明の第４の課題解決手段は、上記第１，第２又は第３の課題解決手段の構成において、遮熱板側壁部の電源端子突出部には、遮熱板を取り外した状態では、感熱ロッド挿入孔を遮閉する一方、遮熱板を本体ケース内に収納セットした状態では感熱ロッド挿入孔を開放するフラップを備えたコントロールマスターの誤挿入防止機構が設けられていることを特徴としている。
【００２０】
このように、遮熱板側壁部の電源端子突出部に、遮熱板を取り外した状態では、感熱ロッド挿入孔を遮閉する一方、本体ケース内に収納セットした状態では同感熱ロッド挿入孔を開放するフラップを備えたコントロールマスターの誤挿入防止機構が設けると、極めて確実に電熱ヒータユニット取り外し時の誤通電を防止することができる。
【００２１】
（５）  第５の課題解決手段
この発明の第５の課題解決手段は、上記第１，第２，第３又は第４の課題解決手段の構成において、フラップ部は、上下方向の位置が遮熱板の側壁部の高さ寸法の範囲内にある一方、前後方向の位置が電熱ヒータの電源端子の突出寸法の範囲内にあることを特徴としている。
【００２２】
このように、フラップ部の上下方向の位置が遮熱板の側壁部の高さ寸法の範囲内にある一方、前後方向の位置が電熱ヒータの電源端子の突出寸法の範囲内にあるようにすると、遮熱板の電源端子設置部内にスペースファクター良く、フラップ部を設置して確実に作動させることができる。
【発明の効果】
【００２３】
以上の結果、本願発明によると、メンテナンス性能が高く、しかも安全なホットプレート等の調理用加熱プレートを提供し得るようになる。
【発明を実施するための最良の形態】
【００２４】
図１〜図９は、本願発明を実施するに際しての最良の実施の形態に係る調理用加熱プレートの構成を示している。
【００２５】
（調理用加熱プレート本体の構成）
この調理用加熱プレートは、例えば図１〜図４に示されるように、大きく分けると、前後方向（図示左右方向）に長い加熱台４と、該加熱台４上に載置される同じく前後方向に長い調理プレート７とから構成されている。
【００２６】
先ず加熱台４は、最外部に位置し、底部裏面側４角に脚部１ａ，１ａ・・・を、また側部外周側に断面逆Ｕ字状に連続する側壁部１ｂおよびカバー部（外縁部）１ｃを、それぞれ有する全体として皿型の構造をなす合成樹脂製の本体ケース１と、該本体ケース１の凹溝面（内部底面）上に断熱性の遮熱板支持部材（脚部材）２，２・・を介して支持された同じく全体として皿型構造の金属製の遮熱板３と、該遮熱板３の上部に電熱ヒータ支持部材５，５・・・を介して支持され、加熱台４の長手方向（前後方向）に沿って略平面Ｙ字形状に配設された電熱ヒータ６とから構成されている。本体ケース１の底部側凹溝面の中央部は、上下方向に開口されて開口部１ｄを形成している。また、遮熱板３の底部３ａは、深さの深い油受け部３１と、その周囲の深さの浅い電熱ヒータ支持面３２とからなっている。
【００２７】
電熱ヒータ６は、例えば断面逆三角形状で上部面がフラットなパイプヒータよりなり、上記本体ケース１の前端側（図示右端側）電源ボックス（コントロールマスター１０の受けカバー１１が設置されている）１２部分から一旦左又は右方向に所定の長さ延びた後クランク状に折れ（クランク部６ａ）、本体ケース１の内部を後端側方向に長く直線的に延び（直線部６ｂ）、同後端の所定寸法手前でユーターン（曲折部６ｃ）して本体ケース１の前端側電源ボックス１２の所定寸法手前まで直線的に戻り（直線部６ｄ）、同電源ボックス１２の手前で再びユーターン（曲折部６ｅ）して再度後端側方向に延び（直線部６ｆ）、同後端の所定寸法手前で再度ユーターン（曲折部６ｇ）して再び前端側電源ボックス方向に直線的に延び（直線部６ｈ）、その後、内側にクランク状に曲げられて（曲折部６ｉ）電源ボックス１２内に戻ることにより、図１のように全体として略平面Ｙ字形に配設され、その長手方向両端側所定のポイント位置で、例えば図５に示すような構造の電熱ヒータ支持部材５，５・・・により支持されている。
【００２８】
該電熱ヒータ支持部材５，５、・・・は、上記遮熱板３の電熱ヒータ支持面３２上に立設され、ビスにより固定された支持プレート５ａと、該支持プレート５ａの上部に形成された係合溝５ｂおよび係合片５ｃ，５ｃとからなっている。
【００２９】
次に調理プレート７は、上記のように構成された電熱ヒータ６の配設面上方部に載置され、その外周部の前後両端側には把手１５，１５を備えているとともに、その底部プレート７ａ部分が調理部となっている。
【００３０】
次に、上記本体ケース１の前端部の電源ボックス１２部分は、例えば図６および図７に示すように、その側壁部１ｂ部分が全体として角筒状に形成され、その内側には、同じく角筒状のコントロールマスター挿入用の受け部材（受けカバー）１１が前後方向に延びて装着固定されている。そして、同コントロールマスター挿入用受け部材１１内には、例えば図１，図２，図８に詳細に示すように、本体ケース１の前端部側から後端側方向に向けて、その先端側中央部に感熱ロッド１０ｃを有するコントロールマスター１０が、上述した調理プレート７の前端部側底面に当たり、かつ電熱ヒータ６の前端（中央）側曲折部６ｅに臨む状態で挿入されるようになっている。なお、１０ａはコントロールマスター１０の本体、１０ｂは電源コード、１０ｄはコントローラである。
【００３１】
一方、上記遮熱板３の前端部側の側壁部３ｂ中央部分には、図７〜図９に示すように、上記コントロールマスター挿入用の受け部材１１に対応して、その左右方向中央に位置する感熱ロッド挿入孔３３と、該感熱ロッド挿入孔３３の両側に位置する電熱ヒータ６の電源端子６１，６２の挿通孔（コントロールマスター挿入用受け部材１１側への突出孔）（図示省略）とが各々前後方向に貫通して形成されており、同電源端子６１，６２の挿通孔からは上述の電源端子６１，６２が所定の長さ前方に突出せしめられ、上記のように（図１，図８のように）コントロールマスター挿入用受け部材１１内にコントロールマスター１０が挿入された時に、その先端部左右に設けられている電源プラグ挿入孔（ソケット）内に、同突出状態にある電源端子６１，６２先端の電源プラグ部６１ａ，６２ａ部分が挿入嵌合されて電熱ヒータ６に電源が供給されるようになっている。
【００３２】
ところで、この実施の形態の構成の場合、上記電熱ヒータ６は、例えば図４に示すように上記電熱ヒータ支持部材５，５・・・を介して上記遮熱板３に固定一体化されて単一のユニット構造になっている一方、上記遮熱板３は、その底部３ａの下面側に固定一体化した冷却および断熱性能の高い脚構造の遮熱板支持部材２，２・・・を介して上記本体ケース１の底部凹溝面上に着脱可能な状態で収納されるようになっている。
【００３３】
遮熱板支持部材２，２・・・は、図５に詳細に示すように断熱部材２ａと、放熱フィン２ｂと、それらの連結固定ネジ２ｃとからなり、それらを上下に積層一体化して脚部構造に形成されている。そして、その連結固定状態では、連結固定ネジ２ｃの頭部２ｄが遮熱板３の底部３ａの凹部３ｃ内に収納されるようにしている。
【００３４】
したがって、上述の調理プレート７を取り外し、その後、これら一体構造の遮熱板３および電熱ヒータ６（図３と図４を参照）を取り外すと、遮熱板３、本体ケース１の各々を自由に清掃することができ、清掃後、また自由に収納設置することができるようになり、非常にメンテナンス性能が向上する。
【００３５】
また、その場合において、上記コントロールマスター挿入用の受け部材１１は、本体ケース１側に取り付けられている。
【００３６】
このように、コントロールマスター挿入用の受け部材１１が、本体ケース１側に取り付けられていると、取り外された遮熱板３および電熱ヒータ６ユニットに対してコントロールマスター１０を挿入しにくくなるので、より安全性が高くなる。
【００３７】
またコントロールマスター挿入用受け部材１１の手入れ性もよくなる。
【００３８】
さらに、使用時においてもコントロールマスター１０部分に水滴等が侵入しにくくなり、絶縁性の確保が容易になる。
【００３９】
そして、上記遮熱板３および電熱ヒータ６ユニットの本体ケース１内への収納設置時には、上記遮熱板３の側壁部３ｂから前方に突出した状態にある電熱ヒータ６の電源端子６１，６２部分が、再び正確にコントロールマスター挿入用受け部材１１内に正確に位置設定された状態で挿入されるように位置決めした上で収納しなければならない。
【００４０】
そこで、この実施の形態の場合、上記本体ケース１の底部凹溝面上には、上記遮熱板３側の遮熱板支持部材２，２・・・の各々を正確に位置固定した上で係合指示する嵌合機能を持った脚受け部材８，８・・・が設けられており、同脚受け部材８，８・・・により対応する上記遮熱板支持部材２，２・・・を安定した状態で確実に支持するようになっている。この脚受け部材８は、例えば４本の爪部材８ａ，８ａ・・・を９０°間隔で対向配置して構成されており、それらの内側面上部には中心位置８ｂ内への落し込みガイド用のテーパ面を有している。
【００４１】
また、以上のようにして電熱ヒータ６を一体化した遮熱板３が、その電源端子６１，６２部分を外部に突出させた図４のような状態で取り外されるような構成とした場合、同取り外し状態において、上記突出する電源端子６１，６２にコントロールマスター１０の電源ソケット部が嵌合されて電熱ヒータ６に通電されるということも懸念される。
【００４２】
もちろん、この実施の形態では、上述のように電熱ヒータ６は、その全体を金属製の遮熱板３内に収納されているので、そのような場合にも十分に安全に対応することができるが、より好ましくはコントロールマスター１０自体の挿入ができないようになっていることが好ましい。
【００４３】
そこで、上記遮熱板３の前端部側側壁部１ｂの上述した感熱ロッド挿入孔３３部分には、図４および図９のように遮熱板３を取外した状態では、同感熱ロッド挿入孔３３を確実に遮閉する一方、図１および図８のように本体ケース１内に収納セットした状態では、同感熱ロッド挿入孔３３を完全に開放するフラップ２６を備えた感熱ロッド誤挿入防止機構２０が取り付けられている。
【００４４】
この感熱ロッド誤挿入防止機構２０は、例えば図９に拡大して示すように、略直角に折り曲げて形成されたベースプレートの水平な下片２０ａ側を上述の遮熱板３の底部３ａに重合した上でビス２１で締結固定する一方、垂直な上片２０ｂ側に、手前側への水平な切り起し片２３と左右に対向する一対の折り曲げ片２２，２２とを形成し、対向する左右一対の折り曲げ片２２，２２の上部中央に後述するフラップ２６の軸支孔２５，２５を設ける。また、上記上片２０ｂの背面部中央には、上記手前側への切り起し片２３によってコントロールマスター１０の感熱ロッド挿通孔２４が形成される。
【００４５】
一方、フラップ２６は、図示のような側面ハット型の形状をなして形成され、その上体部側の左右両脇に軸状の係合凸部を有し、同係合凸部を上記左右の対応する軸支孔２５，２５に遊嵌状態で係合することにより、上下方向に回動可能に支持されている。そして、例えば図４のように、遮熱板３および電熱ヒータ６が本体ケース１から取り外された状態では、例えば図９に示すように、当該フラップ２６は上方から下方に略垂直に吊り下がった状態になり、その下端側縁部２８を上記ベースプレートの手前側への切り起し片２３の前端に当接係止させた状態で保持される。
【００４６】
したがって、この状態では、図９中の矢印に示すようにしてコントロールマスター１０を挿入しようとしても、当該フラップ２６が邪魔になって挿入できない。
【００４７】
したがって、確実に誤った挿入を防止することができる。
【００４８】
他方、例えば図８に示すように、電熱ヒータ６および遮熱板３が上記本体ケース１内に適正に収納されると、同収納時において、上記フラップ２６の上端側縁部２７の曲成部外周が上記コントロールマスター挿入用受け部材１１の後端側上壁部分に当接して、上記フラップ２６の全体が図示のように下方から上方に回転し、上記ベースプレート背面部中央の感熱ロッド挿入孔２４を完全に開放する。
【００４９】
したがって、この状態では図８中の矢印に示すように、適切なコントロールマスター１０の挿入が可能となる。
【００５０】
なお、上記遮熱板３の対応する側壁部３ｂには、上記感熱ロッド１０ｃの挿入孔３３とは別に、その上方に位置して上記フラップ２６の上方側への回動時の上端側縁部２７の回り込み用開口部３４が設けられている。
【００５１】
また上記フラップ２６は、図示のように、その上下方向の位置が遮熱板３の側壁部３ｂの高さ寸法の範囲内にある一方、前後方向の大きさおよび位置が上記電熱ヒータ６の電源端子６１，６２の前方への突出寸法の範囲内にあるように構成されていて、コントロールマスター挿入用のスペース内に極めてスペースファクター良く設置されるようになっている。
【図面の簡単な説明】
【００５２】
【図１】本願発明の最良の実施の形態に係る調理用加熱プレートの構成を示す断面図である。
【図２】同調理用加熱プレートの平面図である。
【図３】同調理用加熱プレートの電熱ヒータおよび遮熱板が取り出された状態の本体ケースの断面図である。
【図４】同調理用加熱プレートの本体ケースから取り出された状態の電熱ヒータおよび遮熱板の断面図である。
【図５】同調理用加熱プレートの遮熱板支持部材の構造を示す拡大断面図である。
【図６】同調理用加熱プレートの電源ボックス部分の斜視図である。
【図７】同調理用加熱プレートの電源ボックス部分の正面図である。
【図８】同調理用加熱プレートのコントロールマスター誤挿入防止機構の本体ケース内での構成と作用を示す断面図である。
【図９】同調理用加熱プレートのコントロールマスター誤挿入防止機構の本体ケース外部での構成と作用を示す断面図である。
【符号の説明】
【００５３】
１：本体ケース
３：遮熱板
４：加熱台
５：電熱ヒータ支持部材
６：電熱ヒータ
７：調理プレート
１０：コントロールマスター
１０ｃ：感熱ロッド
１１：コントロールマスター挿入用受け部材
１２：電源ボックス
２０：感熱ロッド誤挿入防止機構
２６：フラップ
【図１】
2005237631.tif 000003
【図２】
2005237631.tif 000004
【図３】
2005237631.tif 000005
【図４】
2005237631.tif 000006
【図５】
2005237631.tif 000007
【図６】
2005237631.tif 000008
【図７】
2005237631.tif 000009
【図８】
2005237631.tif 000010
【図９】
2005237631.tif 000011